(57)【要約】【課題】屈曲性が向上した釣り用履き物１の提供。【解決手段】この釣り用履き物１は、アッパー２と、ミッドソールと３、このミッドソール３の下方に配置されたアウトソール５と、上記ミッドソール３とアウトソール５との対向する面それぞれに装着された、相互に着脱可能な面ファスナー４とを備えており、上記ミッドソール３に装着された面ファスナー４に、履き物１の幅方向に延びる切れ目１８が形成されており、上記ミッドソール３の周縁にリブ１２が形成されており、このリブ１２はミッドソール３の下端より下方に垂下しており、このリブ１２の、ボールガース線Ｂに対応する部分に切れ目が形成されている。【選択図】図３
2013052075.tif 000002
【特許請求の範囲】
【請求項１】
アッパーと、
ミッドソールと、
このミッドソールの下方に配置されたアウトソールと、
上記ミッドソールとアウトソールとの対向する面それぞれに装着された、相互に着脱可能な面ファスナーとを備えており、
上記ミッドソールに装着された面ファスナーに、履き物の幅方向に延びる切除部が形成されている釣り用履き物。
【請求項２】
上記ミッドソールの周縁にリブが形成されており、
このリブはミッドソールの下端より下方に垂下しており、
このリブの、ボールガースに対応する部分が切除されている請求項１に記載の釣り用履き物。
【請求項３】
上記切除部が、ボールガースに対応する部位に形成されている請求項１又は３に記載の釣り用履き物。
【請求項４】
アッパーと、
ミッドソールと、
このミッドソールの下方に配置されたアウトソールとを備えており、
上記ミッドソールの周縁にリブが形成されており、
このリブはミッドソールの下端より下方に垂下しており、
このリブの、ボールガースに対応する部分が切除されている釣り用履き物。
【発明の詳細な説明】
【技術分野】
【０００１】
本発明は、釣り人に着用されるブーツ、シューズ等の釣り用履き物に関する。
【背景技術】
【０００２】
磯釣りでは、釣り人は岩に登ったり、好ポイントを求めて歩いたり、跳躍したりの動作を行う。これらの動作において、釣り人の靴は、岩に衝突し、岩と擦れ合う。衝突や擦動により、靴の底部やアッパーは傷つく。損傷した底部やアッパーは、釣り人の足を十分には保護しない。損傷が激しい靴は、もはや使用に耐えられない。
【０００３】
従来、かかる損傷を抑制するために、磯釣り等のための靴の底部やアッパーは、強度に優れる材料から構成されている。特開２００１−２０４５０６公報には、アッパーを覆うフード状の補強材を備えた釣り用履き物が開示されている。この補強材は、硬質の合成樹脂からなる。この補強材により、アッパーの損傷が防止される。
【０００４】
しかし、強度に優れる材料は、概して柔軟性に劣る。柔軟性に劣る底部やアッパーは、足の屈曲を妨げる。
【先行技術文献】
【特許文献】
【０００５】
【特許文献１】特開２００１−２０４５０６公報
【発明の概要】
【発明が解決しようとする課題】
【０００６】
上記公報に開示された靴では、補強材が屈曲性を阻害する。この靴は、履き心地に劣る。本発明の目的は、高強度の底部やアッパーを有する場合であっても、屈曲性に優れた釣り用履き物を提供することにある。
【課題を解決するための手段】
【０００７】
本発明に係る釣り用履き物は、
アッパーと、
ミッドソールと、
このミッドソールの下方に配置されたアウトソールと、
上記ミッドソールとアウトソールとの対向する面それぞれに装着された、相互に着脱可能な面ファスナーとを備えており、
上記ミッドソールに装着された面ファスナーに、履き物の幅方向に延びる切除部が形成されている。
【０００８】
かかる履き物は、面ファスナーに、幅方向に延びる切除部が形成されているため、この切除部を挟んだ前後部分の上下方向の相互の屈曲性が向上する。
【０００９】
上記履き物において、好ましくは、そのミッドソールの周縁にリブが形成されており、このリブはミッドソールの下端より下方に垂下しており、このリブの、ボールガースに対応する部分が切除されている。
【００１０】
好ましくは、上記切除部が、ボールガースに対応する部位に形成されている。
【００１１】
本発明に係る他の釣り用履き物は、
アッパーと、
ミッドソールと、
このミッドソールの下方に配置されたアウトソールとを備えており、
上記ミッドソールの周縁にリブが形成されており、
このリブはミッドソールの下端より下方に垂下しており、
このリブの、ボールガースに対応する部分が切除されている。
【００１２】
かかる履き物は、一般的に剛性を向上せしめるリブが、ボールガースに対応する部分において切除されているため、ボールガース対応部位を挟んだ前後部分の上下方向の屈曲性が向上する。
【発明の効果】
【００１３】
本発明に係る釣り用履き物では、その前後部分が互いに上下方向に屈曲しやすい。
【図面の簡単な説明】
【００１４】
【図１】図１は、本発明の一実施形態に係る釣り用履き物のアウトサイドを示す側面図である。
【図２】図２は、図１の履き物のインサイドの一部を示す側面図である。
【図３】図３は、図１の履き物のソール部を示す断面図である。
【図４】図４は、図１の履き物におけるボールガース対応部位を示す底面図である。
【図５】図５は、図１の履き物のソール部を示す底面図である。
【図６】図６は、図１の履き物の面ファスナのフック面とループ面とが離間しつつある状態を示す断面図であり、図３のＶＩ部に相当する図である。
【図７】図７（ａ）は、本発明の他の実施形態に係る釣り用履き物のミッドソールの下面を示す底面図であり、図７（ｂ）は、図７（ａ）のミッドソールの下面からアウトソールが離間しつつある状態を示す断面図である。
【発明を実施するための最良の形態】
【００１５】
以下、適宜図面が参照されつつ、好ましい実施形態に基づいて本発明が詳細に説明される。
【００１６】
図１は、本発明の一実施形態に係る釣り用履き物１のアウトサイドを示す側面図であり、図２はインサイドの一部を示す側面図であり、図３はそのソール部の断面図である。この履き物１は、アッパー２、ミッドソール３、面ファスナー４、アウトソール５及びインソール６を備えている。上記面ファスナー４は、ミッドソール３とアウトソール５とを着脱可能に接合する。
【００１７】
アッパー２は、本体７、ベロ８、防砂用のフード９、ガード１０及びベルト（紐でもよい）１１を備えている。本体７は布製である。典型的には、本体７にメッシュ状の布が用いられる。本体７は合成樹脂又はゴムから形成されてもよい。ベロ８は本体７と同様の材料からなる。ベロ８がスポンジを含んでもよい。
【００１８】
ミッドソール３はゴム又は合成樹脂を基材とする。典型的な基材は、エチレン−酢酸ビニル共重合体（ＥＶＡ）である。ミッドソール３は、アッパー２の底に取り付けられている。この取付は、接着剤によって達成される。接着剤の基材ポリマーとしては、ポリウレタン、ポリクロロプレン及びアクリロニトリル−ブタジエン共重合体が例示される。ポリウレタンが好ましい。ミッドソール３は、アッパー２と一体的に連続して形成されてもよい。ミッドソール３の外縁には、リブ１２が一体的に形成されている。このリブ１２は、ミッドソール３の下面より下方に垂下している。
【００１９】
面ファスナー４はフック面１３とループ面１４とを備えている。フック面１３は、接着剤によってミッドソール３に接着されている。ループ面１４は、接着剤によってアウトソール５に接着されている。フック面１３がアウトソール５に接着され、ループ面１４がミッドソール３に接着されてもよい。接着剤による接着に加えて、糸による縫い付けがなされてもよい。典型的な面ファスナー４は、ベルクロ社のマジックテープ（登録商標）である。上記リブ１２は、面ファスナー４よりも下方にまで延在している。
【００２０】
このリブ１２がミッドソール３の全周にわたって形成されていれば、履き物１の屈曲性を阻害するおそれがある。しかし、図１及び図２に示されるように、このリブ１２は、複数箇所において切除部を有している。すなわち、リブ１２には切れ目１５、１６が形成されている。この切れ目１５、１６の部分では、ミッドソール３の外周面が露出している。この切れ目１５、１６の部分は、その他のリブ１２部に較べて曲げ剛性が低い。この切れ目１５、１６の存在により、リブ１２の屈曲性に対する抵抗が大幅に抑制される。本実施形態では、アウトサイドに３個の切れ目１５が形成され、インサイドに１個の切れ目１６が形成されている。しかし、本発明ではかかる個数に限定されない。アウトサイド及びインサイドともに、少なくとも後述するボールガース線Ｂ上に切れ目１５、１６が存在すればよい。
【００２１】
アウトサイドの切れ目１５同士の間にある、短いリブ１２ａを含むミッドソール３の外周面部分は、装飾効果を向上させるために、前方に傾斜した形状にされている。本発明では、かかるリブ１２形状に限定されない。切れ目１５、１６におけるリブ１２の端縁の形状は、鉛直線、円弧、波状、角度を持って交差する複数の直線等であってもよい。本実施形態では、リブ１２のみならず、ミッドソール３の外方へ張り出した外周面の上下方向全体にわたる切れ目１５、１６が形成されているが、かかる構成には限定されない。ミッドソール３の下面から下方に垂下しているリブ１２にのみ切れ目（切り欠き）が形成されてもよい。
【００２２】
図４に示されるように、リブ１２の切れ目は、靴底におけるボールガース（ｂａｌｌｇｉｒｔｈ）に対応する線（ボールガース線Ｂという）上に位置するものを含む。本実施形態では、インサイドの切れ目１６が上記ボールガース線Ｂ上に位置しており、アウトサイドの３個の切れ目１５のうちの真ん中の切れ目１５がボールガース線Ｂ上に位置している。「ボールガース」とは、人の足Ｆの親指Ｐの付け根と小指Ｃの付け根とを結ぶ、最も大きい幅の部分である。足のサイズや形状により、靴底におけるボールガースに対応する線の位置には多少のバラツキがある。実際に当該履き物１を着用した人の足のボールガースと、この履き物１のリブ１２の切れ目１５、１６とがわずかに位置ズレすることはある。しかし、そのような場合であっても、この切れ目１５、１６の存在により、当該履き物１の上下方向の屈曲性は大幅に向上している。
【００２３】
アウトソール５は、面ファスナー４によってミッドソール３に着脱可能に接合される。アウトソール５は交換可能である。図３に示されるように、アウトソール５の周縁の上部は、リブ１２に囲まれている。従って、面ファスナー４の部分もリブ１２に囲まれている。このリブ１２により、アウトソール５のミッドソール３からの意図せぬ離脱が防止される。
【００２４】
アウトソール５は接地面１７を有する。地面との擦動によって接地面１７が摩耗した場合、アウトソール５がミッドソール３から剥がされる。そして、新たなアウトソール５が面ファスナー４によって接合される。図示されていないが、接地面１７は凹凸模様を備えている。アウトソール５は、ゴム組成物が架橋されることで得られる。ゴム組成物の基材ゴムとしては、ブチルゴム、天然ゴム、ブタジエンゴム、スチレン−ブタジエンゴム及びアクリロニトリル−ブタジエンゴムが例示される。アウトソール５はフェルトから形成されてもよい。
【００２５】
図３、図６及び図７に示されるように、上記面ファスナー４のフック面１３は、基材となるシート１３ａの面に、多数の微細なフック片１３ｂが突設されたものである。上記ループ面１４は、基材となるシート１４ａの面に、多数の微細なループ１４ｂが突設されたものである。基材シート１３ａ、１４ａは、アウトソール５の安定した接合の観点から、硬質であるのが好ましい。多数のフック片１３ｂと多数のループ１４ｂとが係合し合って、フック面１３とループ面１４と接合する。
【００２６】
図５及び図６に示されるように、ミッドソール３の下面に接着されたフック面１３には切除部が形成されている。具体的には、フック面１３に上記ボールガース線Ｂに沿って切れ目１８が形成されている。切れ目１８は、フック面１３の幅全体にわたっている。フック面１３は、この切れ目１８によって前後に分離されている。図６ではインソール６の図示が省略されている。フック面１３の前部１３Ｆ及び後部１３Ｒが、それぞれミッドソールの下面に接着され且つ縫い付けられている。縫い目Ｓは、前部１３Ｆの外周縁のわずかに内側を、外周縁に沿ってループ状に延びている。縫い目Ｓは、後部１３Ｒの外周縁のわずかに内側を、外周縁に沿ってループ状に延びている。縫い目Ｓは、前部１３Ｆ及び後部１３Ｒのそれぞれにおいてループ状にされることには限定されない。フック面１３全体の外周縁のわずかに内側をループ状に延設されてもよい。
【００２７】
本実施形態では、フック面１３の硬質の基材シート１３ａが、ボールガース線Ｂにおいて前後に分離されている。靴底が屈曲されない平坦な状態で、上記分離部分に隙間が形成されていてもよく、形成されていなくてもよい。隙間が形成される場合は、この隙間からミッドソール３の下面が露出する。しかし、このフック面１３には、アウトソール５が面ファスナー４によって接合されるので、隙間は隠れる。靴底におけるこの分離部分においては、曲げ剛性が低下する。その結果、この履き物１の屈曲性がさらに向上する。
【００２８】
前述のとおり、本実施形態ではフック面１３が切れ目１８によって前後に分離されているが、本発明はかかる構成に限定されない。例えば、フック面１３に、切れ目１８に代えて、ボールガース線Ｂに沿った溝が形成されてもよい。溝も切除部の一種である。溝は、フック面１３の基材シート１３ａにおける、フック片１３ｂが突設された面に形成される。溝の深さは、基材シート１３ａの厚さの４０％以上が好ましい。基材シート１３ａに溝が形成された履き物の屈曲性は、フック面１３が分離された履き物１の屈曲性より劣るが、従来の履き物の屈曲性より優れる。
【００２９】
図示しないが、上記切れ目１８又は溝が、フック面１３の幅方向に沿って部分的に形成されてもよい。例えば、図７に示された後述する窓部２２のように、上記切れ目１８又は溝の各端部が、フック面１３の外周縁からわずかに内側に位置していてもよい。また、これらの切れ目１８又は溝は１本には限定されない。切れ目１８又は溝は複数本形成されてもよい。
【００３０】
インソール６は、板状のベース１９と、このベース１９の周縁においてこのベース１９から起立する側壁２０とを有している。ベース１９は、ミッドソール３の上面に載置されている。インソール６は三次元形状を有する。このインソール６は、「カップインソール」と称されている。インソール６は平板状であってもよい。インソール６はポリマー発泡体である。この発泡体の典型的な基材ポリマーは、エチレン−酢酸ビニル共重合体（ＥＶＡ）である。メッシュ状のインソール６が用いられてもよい。
【００３１】
図７には他の履き物２１が示されている。この履き物２１においては、フック面２３に、ボールガース線Ｂに沿って開口部（窓部という）２２が形成されている。この窓部２２も切除部の一種である。この履き物２１のフック面２３以外の構成は、前述の履き物１（図１から図６）の構成と同一である。例えば、ミッドソール３の外周縁にはリブ１２が形成されており、このリブ１２には図１及び図２に示される切れ目１５、１６が形成されている。従って、その他の構成については詳細な説明は省略される。図７（ｂ）では、インソール６の図示が省略されている。
【００３２】
上記窓部２２は長方形を呈している。窓部２２の長辺がボールガース線Ｂに沿っている。窓部２２の長辺は、フック面２３のボールガース線Ｂ方向の幅寸法より小さい。窓部２２の長辺方向の各端部は、フック面２３の外周縁からわずかに内側に位置する。窓部２２の短辺（幅）は６ｍｍ以上１０ｍｍ以下の範囲で形成されている。しかし、本発明ではかかる寸法には限定されない。窓部２２はフック面２３を貫通している。窓部２２からミッドソール３の下面が露出する。しかし、このフック面１３には、アウトソール５が面ファスナー４によって接合されるので、窓部２２は隠れる。
【００３３】
このフック面２３も、ミッドソール３の下面に接着され且つ縫い付けられている。縫い目Ｓは、ミッドソール３の窓部２２より前部の外周縁及び窓部２２のわずかに内側を、外周縁に沿ってループ状に延びている。縫い目Ｓは、ミッドソール３の窓部２２より後部の外周縁及び窓部２２のわずかに内側を、外周縁に沿ってループ状に延びている。靴底におけるこの窓部２２においては、曲げ剛性が低下する。その結果、この履き物２１の屈曲性がさらに向上する。
【００３４】
上記窓部２２はフック面２３を貫通しているが、本発明ではかかる構成に限定されない。例えば、平面視が長方形の凹部として形成されてもよい。凹部の深さは、基材シート１３ａの厚さの４０％以上が好ましい。また、窓部２２又は凹部の形状は長方形には限定されない。例えば、長円形等であってもよい。
【００３５】
以上の実施形態では、ミッドソール３の下面に接着された面ファスナー４のフック面１３、２３にのみ切れ目１５、１６、溝又は窓部２２が形成されている。本発明はかかる構成には限定されない。フック面１３がアウトソール５に接着され、ループ面１４がミッドソール３の下面に接着された場合には、ループ面１４に切れ目１５、１６、溝又は窓部２２が形成される。また、ミッドソール３のフック面（又はループ面）に加えて、アウトソール５の上面に接着されたループ面（又はフック面）に、切れ目、溝又は窓部が形成されてもよい。
【００３６】
以上の実施形態は、ベルトを有するシューズを例示している。しかし、本発明は、シューズに限定されず、ブーツ等にも適用可能である。
【産業上の利用可能性】
【００３７】
本発明に係る釣り用履き物は、種々の釣り場において利用されうる。本発明に係る釣り用履き物は、その屈曲性が良好であるため、特に、釣り人が岩に登ったり、歩いたり、跳躍したりすることの多い磯釣り等に便利である。
【符号の説明】
【００３８】
１、２１・・・履き物
２・・・アッパー
３・・・ミッドソール
４・・・面ファスナー
５・・・アウトソール
６・・・インソール
７・・・本体
８・・・ベロ
９・・・防砂フード
１０・・・ガード
１１・・・ベルト
１２・・・リブ
１３、２３・・・フック面
１４・・・ループ面
１５・・・（アウトサイドの）切れ目
１６・・・（インサイドの）切れ目
１７・・・接地面
１８・・・（フック面の）切れ目
１９・・・ベース
２０・・・側壁
２２・・・窓部
Ｂ・・・ボールガース
Ｆ・・・足
Ｓ・・・縫い目
【図１】
2013052075.tif 000003
【図２】
2013052075.tif 000004
【図３】
2013052075.tif 000005
【図４】
2013052075.tif 000006
【図５】
2013052075.tif 000007
【図６】
2013052075.tif 000008
【図７】
2013052075.tif 000009